(57)【要約】【課題】装置内部からの音を確実に遮断する録音装置を提供する。【解決手段】音声を集音するマイク２０と、前記マイクの集音部に対向する位置に配置され、少なくとも１つのマイク孔を有する外観カバー２８と、前記マイクを収容する収容部２４及び前記収容部の周囲に形成され前記外観カバーの内壁面に対して密着する密着部３２を有する保持部２２とを備える。【選択図】  図２
2013157763.tif 000002
【特許請求の範囲】
【請求項１】
音声を集音するマイクと、
前記マイクの集音部に対向する位置に配置され、少なくとも１つのマイク孔を有する外観カバーと、
前記マイクを収容する収容部及び前記収容部の周囲に形成され前記外観カバーの内壁面に対して密着する密着部を有する保持部と、
を備えることを特徴とする録音装置。
【請求項２】
前記密着部は、前記外観カバーの内壁面に対して密着するリブであることを特徴とする請求項１に記載の録音装置。
【請求項３】
前記保持部は、前記マイクの周囲を保持し、前記密着部を有する第１の弾性材と、
前記第１の弾性材を保持する第２の弾性材と、
を備えることを特徴とする請求項１に記載の録音装置。
【請求項４】
前記第１の弾性材は、前記第２の弾性材よりも硬度が低いことを特徴とする請求項３に記載の録音装置。
【発明の詳細な説明】
【技術分野】
【０００１】
本発明は、録音装置に関するものである。
【背景技術】
【０００２】
従来、装置自身が発する機械的動作音や振動音等の装置内部からの音が外観カバーを伝わってマイクに録音されるのを防止するために、マイク部の外観カバーをゴムでフローティング保持する録音装置が知られている（例えば、特許文献１参照）。
【０００３】
また、一般的にこのような録音装置は、更にマイク部の周囲をゴムで覆い、このゴムを外観カバーと密着させ、装置内部からの音がマイク部により集音されるのを防止している。
【先行技術文献】
【特許文献】
【０００４】
【特許文献１】特許第３４１３６８２号公報
【発明の概要】
【発明が解決しようとする課題】
【０００５】
しかしながら、上述の特許文献１に記載されている録音装置においては、外観カバーをフローティング保持するためにフローティングゴム等を用いるが、そのフローティングゴムの硬度が高い場合は、フローティングゴムによる遮音性能が低下する。また外観カバーとフローティングゴムを十分に密着させようとするとフローティングゴムの反力に耐えるために強固な保持構造が必要となり、外観カバーに振動が伝わりやすくなって装置内部からの音がマイク部により集音される。
【０００６】
また、ゴムの硬度が低いと、部品の成型精度や組み立て性の悪化を招き、結果として組み立てた際にフローティングゴムと外観カバーとの間に隙間が生じる等、十分な密閉度を得ることができず、装置内部からの音がマイク部に集音される。
【０００７】
本発明の目的は、装置内部からの音を確実に遮断する録音装置を提供することである。
【課題を解決するための手段】
【０００８】
本発明の録音装置は、音声を集音するマイクと、前記マイクの集音部に対向する位置に配置され、少なくとも１つのマイク孔を有する外観カバーと、前記マイクを収容する収容部及び前記収容部の周囲に形成され前記外観カバーの内壁面に対して密着する密着部を有する保持部とを備えることを特徴とする。
【発明の効果】
【０００９】
本発明の録音装置によれば、装置内部からの音を確実に遮断することができる。
【図面の簡単な説明】
【００１０】
【図１】第１の実施の形態に係る録音装置を備えたデジタルカメラを背面側から見た斜視図である。
【図２】第１の実施の形態に係るマイク部の構造を示す図である。
【図３】第１の実施の形態に係るマイク部の構造を示す断面図である。
【図４】第２の実施の形態に係るマイク部の構造を示す断面図である。
【発明を実施するための形態】
【００１１】
以下、図面を参照して、本発明の第１の実施の形態に係る録音装置について説明する。図１は第１の実施の形態に係る録音装置を備えたデジタルカメラを背面側から見た斜視図である。図１に示すように、デジタルカメラ２の前面には撮影レンズ４が設けられている。またデジタルカメラ２の背面には、被写体を観察するファインダ６、撮影モードを切替える入力操作等を受け付ける操作ボタン８、ＬＣＤ等により構成され撮影画像及び撮影条件等を表示する表示部１０が設けられている。
【００１２】
デジタルカメラ２の上部には、レリーズ動作を指示するレリーズボタン１２が設けられている。また、デジタルカメラ２の筐体のファインダ６が位置する箇所の上部には周囲の音声を集音するマイク部１４が設けられている。
【００１３】
図２は第１の実施の形態に係るマイク部の構造を示す図である。マイク部１４は、デジタルカメラ２の筐体２ａに設けられたマイク取付部１６と、マイク取付部１６の上部を覆うマイク外観カバー２８とから構成されている。マイク取付部１６は、筐体２ａに形成された開口１８を有し、開口１８内にマイク２０が配置されている。また開口１８の縁部に沿ってフローティングゴム２２が配置されている。
【００１４】
フローティングゴム２２は、硬度が６０程度のシリコンゴム等の弾性材により形成されている。フローティングゴム２２にはデジタルカメラ２を前から見た場合の左右両側にマイク２０を収容する収容部２４が形成されている。ここでフローティングゴム２２の左側に配置されたマイク２０は集音部を左側に向けた状態で収容部２４内に固定され、右側に配置されたマイク２０は集音部を右側に向けた状態で収容部２４内に固定されている。なお収容部２４は、背面側がデジタルカメラ２の内部フレーム２６により支持されている。
【００１５】
マイク外観カバー２８の前端下部には、２つの係止部３０が設けられている。係止部３０には、マイク取付部１６に設けられた不図示の係止片を係合させる係止孔３０ａが設けられている。マイク外観カバー２８の両側には、マイク取付部１６に固定されたときにマイク２０に対向するマイク孔２８ａが設けられている。
【００１６】
マイク外観カバー２８は、係止孔３０ａをマイク取付部１６の係止片に係合させることにより、マイク取付部１６に固定される。この場合にフローティングゴム２２は、筐体２ａとマイク外観カバー２８とによって挟持される。
【００１７】
図３は第１の実施の形態に係るマイク部の構造を示す断面図である。なお図３では一方のマイク２０の周囲を示している。他方のマイク２０の周囲の構造については一方のマイク２０の周囲の構造と同一である。図３に示すように、フローティングゴム２２の収容部２４にはマイク２０による集音を妨げないようにマイク２０の集音部を露出させる開口２４ａが形成されている。また収容部２４には、収容部２４の内側に突出するつば部が形成されており、これにより収容部２４内にマイク２０が固定される。
【００１８】
またフローティングゴム２２には、収容部２４の開口２４ａの周囲に配置され、かつ対向する位置のマイク外観カバー２８の内壁面に密着するリブ３２が形成されている。従ってマイク取付部１６にマイク外観カバー２８を固定した場合にマイク外観カバー２８の内壁面にリブ３２が隙間無く密着する。
【００１９】
この第１の実施の形態に係るデジタルカメラによれば、リブ３２がマイク外観カバー２８の内壁面に密着する箇所で、デジタルカメラ２の内部からの音を確実に遮断することができる。
【００２０】
次に第２の実施の形態に係るデジタルカメラ２について説明する。なおこの第２の実施の形態におけるデジタルカメラ２は、第１の実施の形態のデジタルカメラ２のフローティングゴム２２の代わりに、カバー制振ゴム４０とマイクゴム４２とを用いるものである。従って第１の実施の形態と同一の構成についての詳細な説明は省略し、異なる部分のみについて詳細に説明する。また第１の実施の形態と同一の構成には同一の符号を付して説明する。
【００２１】
図４は第２の実施の形態に係るマイク部の構造を示す断面図である。カバー制振ゴム４０は、硬度が６０程度のシリコンゴム等の弾性材により形成され、第１の実施の形態のフローティングゴム２２と同様に、筐体２ａの開口１８の縁部に沿って配置されている。カバー制振ゴム４０には、デジタルカメラ２を前から見た場合の左右両側に、集音部を露出させるようにマイクゴム４２により覆われたマイク２０を保持する保持部４４が形成されている。
【００２２】
マイクゴム４２は、硬度が６０程度のシリコンゴム等の弾性材により筒状に形成されている。マイクゴム４２の開口端部には、マイクゴム４２の内側に突出するつば部４２ａが形成されている。ここでマイク外観カバー２８に対向する位置のつば部４２ａは、マイク外観カバー２８の内壁面に密着する密着部として機能する。従ってマイク取付部１６にマイク外観カバー２８を固定した場合に、カバー制振ゴム４０は筐体２ａとマイク外観カバー２８とによって挟持される。またマイク外観カバー２８の内壁面にマイクゴム４２のつば部４２ａが隙間無く密着する。
【００２３】
この第２の実施の形態によれば、マイクゴム４２のつば部４２ａがマイク外観カバー２８の内壁面に密着する箇所で、デジタルカメラ２の内部からの音を確実に遮断することができる。
【００２４】
なお、上述の第２の実施の形態に係るデジタルカメラ２においては、マイクゴム４２を硬度が６０程度のシリコンゴムによって形成されているが、これに限らず例えば更に硬度の小さいシリコンゴム（例えば硬度３０とする。）によって形成してもよい。特にマイクゴム４２はマイク２０の周囲を保持する部品であり、硬度が小さいシリコンゴムを使用してもその成型精度や組み立て性の悪化を招くことが無い。また硬度が小さいシリコンゴムを使用することによってマイクゴム４２による遮音性能を向上させることができる。
【符号の説明】
【００２５】
２…デジタルカメラ、４…撮影レンズ、６…ファインダ、８…操作ボタン、１０…表示部、１２…レリーズボタン、１４…マイク部、１６…マイク取付部、２０…マイク、２２…フローティングゴム、２４…収容部、２６…内部フレーム、２８…マイク外観カバー、３０…係止部、３０ａ…係止孔、３２…リブ、４０…カバー制振ゴム、４２…マイクゴム、４２ａ…つば部。
【図１】
2013157763.tif 000003
【図２】
2013157763.tif 000004
【図３】
2013157763.tif 000005
【図４】
2013157763.tif 000006